(57)【要約】【課題】複雑な分岐、結合があっても、予め定めた信号線等の検査を実施できる回路検査装置を得る。【解決手段】筐体１内では、信号用内部コネクタ２ａ、２ｂ、２ｃの接続端子間が電線４により接続され、更に検査用内部コネクタ３にも検査に必要な電線４が接続されている。信号用内部コネクタ２ａ、２ｂ、２ｃには常時、信号用外部コネクタがそれぞれ嵌合されている。検査用内部コネクタ３には、必要に応じて検査用外部コネクタを嵌合し、筐体内部の必要な電線の検査を実施する。【選択図】図２
2007147490.tif 000002
【特許請求の範囲】
【請求項１】
電気回路を内蔵した筐体の表面に検査用内部コネクタを固定し、該検査用内部コネクタに外側から検査用外部コネクタを嵌合し、前記検査用外部コネクタに接続した検査回路によって前記筐体内の電気回路を検査する回路検査装置であって、前記筐体内の検査すべき電気回路の電線を前記検査用内部コネクタの接続端子に接続したことを特徴とする回路検査装置。
【請求項２】
前記筐体に信号用外部コネクタと嵌合する信号用内部コネクタを固定し、該信号用内部コネクタの検査すべき電線を前記検査用内部コネクタの接続端子に接続したことを特徴とする請求項１に記載の回路検査装置。
【請求項３】
前記信号用外部コネクタと信号用内部コネクタの組を複数組設け、前記複数の信号用内部コネクタ同士の電線を接続し、これらの電線のうち検査すべき電線を前記検査用内部コネクタの接続端子に接続したことを特徴とする請求項２に記載の回路検査装置。
【発明の詳細な説明】
【技術分野】
【０００１】
本発明は、多岐多様で複雑な電気回路の接続において使用する回路検査装置に関するものである。
【背景技術】
【０００２】
自動車のハーネス回路等に使用するジョイントコネクタは、例えば特許文献１のように少数の母線から多数の子線を分岐・接続することができ、かつワンタッチで多数の接続端子間の接続を一挙に達成できるものが知られている。
【０００３】
【特許文献１】特開平８−３２１３６６号公報
【発明の開示】
【発明が解決しようとする課題】
【０００４】
しかし、上述のジョイントコネクタの回路検査、特に使用中のジョイントコネクタにおいて、回路が正常に接続されているか、或いは信号等が正常なレベルを維持しているか等の回路検査は殆ど不可能である。
【０００５】
本発明の目的は、上述の課題を解消し、複雑な分岐、結合があっても、予め定めた信号線等の検査を実施できる回路検査装置を提供することにある。
【課題を解決するための手段】
【０００６】
上述の目的を達成するための本発明に係る回路検査装置の技術的特徴は、電気回路を内蔵した筐体の表面に検査用内部コネクタを固定し、該検査用内部コネクタに外側から検査用外部コネクタを嵌合し、前記検査用外部コネクタに接続した検査回路によって前記筐体内の電気回路を検査する回路検査装置であって、前記筐体内の検査すべき電気回路の電線を前記検査用内部コネクタの接続端子に接続したことにある。
【発明の効果】
【０００７】
本発明に係る回路検査装置によれば、筐体の検査用内部コネクタに検査用外部コネクタを嵌合することにより、必要な信号線等を容易に検査ができる。
【発明を実施するための最良の形態】
【０００８】
本発明を図示の実施例に基づいて詳細に説明する。
図１はコネクタを用いて接続するジョイントコネクタの分解斜視図、図２は筐体の一部を切欠した状態の斜視図である。合成樹脂又は金属製の筐体１の側面に設けた孔部には、例えば３個の信号用内部コネクタ２ａ、２ｂ、２ｃと１個の検査用内部コネクタ３がそれぞれ防水シール部材を介して固定されている。また、信号用内部コネクタ２ａ、２ｂ、２ｃの基部には、後述する保護カバーを固定するための枠部１ａが設けられており、筐体１は例えば底部に蓋を設けて開放できるようにされている。
【０００９】
内部コネクタ２ａ、２ｂ、２ｃはそれぞれ多数の図示しない例えば雄型接続端子を内蔵しており、筐体１内において雄型接続端子に電線４が接続され、内部コネクタ２ａ、２ｂ、２ｃ同士間或いは同一の内部コネクタ２ａ、２ｂ、２ｃの雄型接続端子同士が電線４により短絡されている。
【００１０】
検査用内部コネクタ３は内部コネクタ２ａ、２ｂ、２ｃ同士を接続する電線４により構成される電気回路の検査用であり、内部コネクタ２ａ、２ｂ、２ｃと同様に雄型接続端子を内蔵しており、これらの雄型接続端子は各内部コネクタ２ａ、２ｂ、２ｃの検査に必要な、例えば信号と例えば図３に示す接続配線図のように電線４を介して接続されている。なお、検査用内部コネクタ３への接続は、使用中の電線４について検査することも考慮して、ダイオードなどの電子部品を必要に応じて介在することもある。
【００１１】
各内部コネクタ２ａ、２ｂ、２ｃには、相手側の信号用外部コネクタ５が嵌合するようにされ、これらの信号用外部コネクタ５には雌型接続端子が内蔵されており、内部コネクタ２ａ、２ｂ、２ｃと信号用外部コネクタ５との嵌合がなされると、それぞれに内蔵する接続端子同士が連結し、電気的な接続がなされる。
【００１２】
検査用内部コネクタ３には検査用外部コネクタ６が嵌合するようにされ、この検査用外部コネクタ６に複数の電線を束ねたケーブル７を介して検査用機器が接続されている。
【００１３】
信号用内部コネクタ２ａ、２ｂ、２ｃに嵌合する信号用外部コネクタ５は電線８の本数が多い場合があり、信号用内部コネクタ２ａ、２ｂ、２ｃと信号用外部コネクタ５との嵌合、解除に大きな力を必要とするため、例えば内部コネクタ２ａ、２ｂ、２ｃの側面にはピン９が設けられ、相手側信号用外部コネクタ５にはカム溝１０を有し軸１１を中心に回動する回動レバー１２が設けられている。
【００１４】
つまり、カム溝１０にピン９を係止して、回動レバー１２の回動による両者のてこ作用によって信号用内部コネクタ２ａ、２ｂ、２ｃに対する信号用外部コネクタ５を大きな力を要せずに嵌合、解離できるようになっている。
【００１５】
信号用外部コネクタ５の後方には、合成樹脂製又は金属製の一部を切欠して図示した筒状プロテクタ１３が連結され、防水用のグロメット１４が挿入されている。更に、相手側信号用外部コネクタ５、筒状プロテクタ１３の外側に、合成樹脂製又は金属製の２つ割りの保護筒１５ａ、１５ｂが被着されている。保護筒１５ａ、１５ｂの前端部は、枠部１ａに嵌め込まれて筐体１に固定され、後端部に設けたねじ１５ｃには図示しないナットが螺合され、保護筒１５ａ、１５ｂが円筒形に保持される。
【００１６】
筐体１内において、信号用内部コネクタ２ａ、２ｂ、２ｃ間の電線４のうち、必要な電線４を検査用内部コネクタ３に接続しているので、筐体１の外部から検査用内部コネクタ３に検査用外部コネクタ６を嵌合すると、検査用外部コネクタ６の接続端子は検査用内部コネクタ３の接続端子と接合する。
【００１７】
従って、検査用外部コネクタ６に接続した外部の検査用機器を用いて、筐体１内の回路の状態を検査することができる。この検査は施工直後であっても、或いは使用中であっても、任意に検査用内部コネクタ３に検査用外部コネクタ６を嵌合して実施することができる。
【図面の簡単な説明】
【００１８】
【図１】分解斜視図である。
【図２】筐体の一部を切欠した斜視図である。
【図３】コネクタ同士の接続配線図である。
【符号の説明】
【００１９】
１  筐体
２、３、５、６  コネクタ
４、８  電線
【図１】
2007147490.tif 000003
【図２】
2007147490.tif 000004
【図３】
2007147490.tif 000005